(57)【要約】【課題】本願発明の課題は、従来技術が抱える問題を解決することであり、すなわち通常のフィルムパックを手絞りによって安定的に塗布することができ、しかもフィルムパックに容易に取り付けることができるフィルムパック用貼付式ノズルと、これを用いた内容物の塗布方法を提供することである。【解決手段】本願発明の内容物塗布方法は、フィルムパック用貼付式ノズルを用いてフィルムパックの内容物を塗布する方法であり、貼付工程と、切込み工程、塗布工程を備えた方法である。このうち貼付工程では、フィルムパックにフィルムパック用貼付式ノズルを貼付し、切込み工程では、吐出孔内であってスリットを延長した線上部分のフィルムパック表面を切り込むことでフィルムパック表面に切断線を形成する。そして塗布工程で、切断線と吐出孔を利用して、手絞りによってフィルムパックの内容物を塗布する。【選択図】図１
2019063747.tif 000002
【特許請求の範囲】
【請求項１】
フィルム内に内容物が封入されたフィルムパックに貼付される貼付式ノズルであって、
薄板状の本体シートと、
前記本体シートの中央部に設けられる吐出孔と、
を備えたことを特徴とするフィルムパック用貼付式ノズル。
【請求項２】
前記本体シートに、前記吐出孔から外周に向けて切り込まれた複数のスリットが設けられた、
ことを特徴とする請求項１記載のフィルムパック用貼付式ノズル。
【請求項３】
２の前記スリットを１組とするスリットペアを構成する２の該スリットが、前記吐出孔の中心に対して点対称又は略点対称で配置された、
ことを特徴とする請求項２記載のフィルムパック用貼付式ノズル。
【請求項４】
フィルム内に内容物が封入されたフィルムパックの該内容物を、フィルムパック用貼付式ノズルを用いて塗布する方法であって、
前記フィルムパック用貼付式ノズルは、薄板状の本体シートと、該本体シートの中央部に設けられる吐出孔と、を備え、
前記フィルムパックに、前記フィルムパック用貼付式ノズルを貼付する貼付工程と、
前記吐出孔内の前記フィルムパック表面を切り込むことで、該フィルムパック表面に切断線を形成する切込み工程と、
前記切断線及び前記吐出孔を利用して、手絞りによって前記フィルムパックの前記内容物を塗布する塗布工程と、
を備えたことを特徴とする内容物塗布方法。
【請求項５】
前記フィルムパック用貼付式ノズルの前記本体シートに、前記吐出孔から外周に向けて切り込まれた複数のスリットが設けられ、
前記切込み工程では、前記吐出孔内であって前記スリットを延長した線上部分の前記フィルムパック表面を切り込むことで、該フィルムパック表面に前記切断線を形成する、
ことを特徴とする請求項４記載の内容物塗布方法。
【発明の詳細な説明】
【技術分野】
【０００１】
本願発明は、フィルムパック用のノズルに関するものであり、より具体的には、フィルムパックに貼り付ける貼付式のノズルに関するものである。
【背景技術】
【０００２】
フィルムパックとは、接着剤やシーリング材といった流動性を有する内容物を、アルミ等でラミネート加工した樹脂製の薄膜材（フィルム）内に封入したものである。図１０に示すように通常のフィルムパックＦＰは、袋状としたフィルムの中に内容物を充填し、絞られた両端部をカシメ具で密封することで製造され、いわゆるソーセージと同様の形状、構造とされる。
【０００３】
容器の製造工程と容器への内容物充填工程とを別々に行う必要がある紙管カートリッジやプラスチックカートリッジに比べ、フィルムパックＦＰは、容器の製造工程と容器への内容物充填工程とを同時に行うことが可能なため、その製作工程からも分かるように安価に提供することができ、しかもフィルムが軟包材であることから使用後の廃棄物を削減できることもあって、近年では業務用を中心に広く普及している。
【０００４】
本来、フィルムパックＦＰは例えば特許文献１に示すような専用のコーキングガン（押出し機構）を使用したうえで内容物を塗布するものであるが、このようなコーキングガンを使用することなく「手絞り」によって内容物を塗布するケースも少なくない。手絞りとは、文字通りフィルムパックＦＰを直接手で握って絞り出しながら内容物を塗布する手法であり、この場合、フィルムパックＦＰの一部をカッター等の刃物で切除し、これを吐出口として内容物を押し出すことになる。そのため、必要以上に内容物が塗布され、あるいは意図した場所に塗布できないことがあるなど、コーキングガンによる塗布作業に比べその作業性は不安定になりがちである。
【０００５】
しかしながら手絞りによって塗布したいという要望が根強いこともあり、手絞り用に改良されたフィルムパック（以下、「手絞り用フィルムパック」という。）も提供されている。具体的には、フィルムパックの一端をカシメ閉鎖とする代わりにノズルを取り付けたものや、一端にはノズルが取り付けられ他端はヒートシールとしたものなどが提供されている。このような手絞り用フィルムパックは、確かに塗布作業を効率的にするものの、通常のフィルムパックＦＰとは製作工程が異なり、そのため専用の充填設備や包装設備、その他の生産設備を新たに整備する必要がある。その結果、手絞り用のフィルムパックは比較的高価なものとなり、すなわち安価に提供できるというフィルムパックＦＰの大きな特長が失われてしまう。
【０００６】
したがって、手絞りによって塗布する場合であっても、やはり通常のフィルムパックＦＰを使用する方が好適となるが、特許文献１や特許文献２にも開示されているように通常のフィルムパックＦＰを使用する場合はあくまでコーキングガンを用いることが前提とされており、これまで通常のフィルムパックＦＰを手絞りによって塗布する技術に関して提案されることはなかった。
【先行技術文献】
【特許文献】
【０００７】
【特許文献１】特開２０１６−１６９５４７号公報
【特許文献２】特開２００８−１１０３３１号公報
【発明の概要】
【発明が解決しようとする課題】
【０００８】
既述したとおり、手絞りによって通常のフィルムパックＦＰの内容物を塗布するに当たっては、フィルムパックＦＰの一部をカッター等の刃物で切除する必要がある。フィルムパックＦＰを切除する部分としては、フィルムパックＦＰの中間部（図１０）側面を切除することが考えられるが、はじめは適切な量を塗布できる小孔を設けたとしても手絞りを行う際に内圧によって小孔から徐々にフィルムＦＰ表面が裂けていき、結果的には小孔が拡大して必要以上に大きな開口部が形成されることになる。このように大きな開口部（突出口）が形成される結果、余分な量の内容物が塗布され、あるいは意図した場所に塗布できないといった不都合が生じることもあり、そのため従来の手絞りはその作業性が不安定とされていたわけである。
【０００９】
本願発明の課題は、従来技術が抱える問題を解決することであり、すなわち通常のフィルムパックＦＰを手絞りによって安定的に塗布することができ、しかもフィルムパックＦＰに容易に取り付けることができるフィルムパック用貼付式ノズルと、これを用いた内容物の塗布方法を提供することである。
【課題を解決するための手段】
【００１０】
本願発明は、吐出孔が設けられたノズルをフィルムパックに貼付する、さらに切除用の案内溝（スリット）が形成されたノズルをフィルムパックに貼付する、という点に着目してなされたものであり、これまでにない発想に基づいて行われたものである。
【００１１】
本願発明のフィルムパック用貼付式ノズルは、フィルムパックに貼付されるものであり、薄板状の本体シートと、本体シートの中央部に設けられる吐出孔を備えたものである。また本願発明のフィルムパック用貼付式ノズルは、吐出孔から外周に向けて切り込まれた複数のスリットが本体シートに形成されたものとすることもできる。
【００１２】
本願発明のフィルムパック用貼付式ノズルは、スリットペア（２つのスリットを１組とするもの）が形成されたものとすることもできる。この場合、スリットペアを構成する２つのスリットは、吐出孔の中心に対して略点対称（点対称含む）に配置される。
【００１３】
本願発明の内容物塗布方法は、フィルムパック用貼付式ノズルを用いてフィルムパックの内容物を塗布する方法であり、貼付工程と、切込み工程、塗布工程を備えた方法である。このうち貼付工程では、フィルムパック表面にフィルムパック用貼付式ノズルを貼付し、切込み工程では、吐出孔内のフィルムパック表面を切り込むことでフィルムパック表面に切断線を形成する。このとき、フィルムパック用貼付式ノズルの本体シートにスリットが形成されている場合は、スリットを延長した線上部分のフィルムパック表面を切り込むことでフィルムパック表面に切断線を形成するとよい。そして塗布工程で、切断線と吐出孔を利用して、手絞りによってフィルムパックの内容物を塗布する。
【発明の効果】
【００１４】
本願発明のフィルムパック用貼付式ノズル、及び内容物塗布方法には、次のような効果がある。
（１）従来から用いられている通常のフィルムパックをそのまま使用することができることから、これまでのフィルムパックの製造ラインを改修する必要がなく、したがって従来どおり安価なフィルムパックを使用することができる。
（２）吐出孔によって適切な大きさの開口部が形成され、しかも本体シートによって塗布作業中もその大きさが保持されることから、手絞りによる塗布作業を安定的に行うことができる。
（３）本体シートに設けられたスリットに案内されることから、フィルムパック表面を適切に切除することができる。
（４）本体シートの裏面に両面テープ等の貼付材を設けることで、フィルムパック用貼付式ノズルをフィルムパック表面に容易に貼り付けることができる。
【図面の簡単な説明】
【００１５】
【図１】本願発明のフィルムパック用貼付式ノズルを使用した接着剤の塗布状況を示す部分斜視図。
【図２】フィルムパック用貼付式ノズルを上方から見た平面図。
【図３】スリットが形成されたフィルムパック用貼付式ノズルを上方から見た平面図。
【図４】矩形の本体シートを有するフィルムパック用貼付式ノズルを上方から見た平面図。
【図５】フィルムパック用貼付式ノズルに形成されたスリットのうちスリットペアとなる組み合わせを示す平面図。
【図６】吐出孔部分に補助シートが設置されたフィルムパック用貼付式ノズルを示す平面図。
【図７】本願発明の内容物塗布方法の主な工程の流れを示すフロー図。
【図８】フィルムパック用貼付式ノズルの吐出孔内に設定されたカットラインを示す平面図。
【図９】フィルムパック用貼付式ノズル内に切断線が設けられたフィルムパックを示す部分斜視図。
【図１０】従来から用いられているフィルムパックを示す全体図。
【発明を実施するための形態】
【００１６】
本願発明のフィルムパック用貼付式ノズル、及び内容物塗布方法の実施形態の一例を、図に基づいて説明する。なお本願発明の内容物塗布方法は、本願発明のフィルムパック用貼付式ノズルを使用して行う方法である。したがって、まずは本願発明のフィルムパック用貼付式ノズルについて説明し、その後に本願発明の内容物塗布方法について説明することとする。
【００１７】
１．フィルムパック用貼付式ノズル
図１は、本願発明のフィルムパック用貼付式ノズル１００をフィルムパックＦＰの表面に貼り付け、後述する「吐出孔」から接着剤ＡＤを手絞りによって塗布している状況を示す部分斜視図である。なおここでは便宜上、接着剤ＡＤが封入されたフィルムパックＦＰを例として説明しているが、本願発明を実施するに当たっては接着剤ＡＤのほかシーリング材など他の流動性を有する内容物が封入されたフィルムパックＦＰを使用することができることはいう言うまでもない。以下、本願発明のフィルムパック用貼付式ノズル１００を構成する主な要素ごとに詳しく説明する。
【００１８】
（本体シート）
図２は、フィルムパック用貼付式ノズル１００を上方から見た平面図である。この図に示すようにフィルムパック用貼付式ノズル１００は、本体シート１１０と吐出孔１２０を含んで構成される。また、図３に示すように本体シート１１０に設けられるスリット１３０を含んで構成することもできる。このスリット１３０を設けることによって、後述するように容易かつ適切にフィルムパックＦＰ表面を切除することができて好適となる。本体シート１１０は、平面寸法に対して厚さ寸法が極端に小さい薄板状の形状とされ、フィルムパックＦＰに貼り付けるための貼付面を確保する機能と、吐出孔１２０の形状を保持する機能を有している。なお図２や図３に示す例では、本体シート１１０の外径をφ２４ｍｍ、厚さを０．５ｍｍとしている。
【００１９】
フィルムパックＦＰへの貼付面を確保するのが、本体シート１１０の一方の面（以下、便宜上「裏面」という。）である。そのため本体シート１１０の裏面は、十分な貼付面積を有しており、さらに平坦面とするのが望ましい。
【００２０】
吐出孔１２０の形状を保持するのは、本体シート１１０そのものである。フィルムパック用貼付式ノズル１００を貼付したフィルムパックＦＰを用いて手絞りを行う際、後述するように吐出孔１２０が吐出口（フィルムパックＦＰから接着剤ＡＤが流出する孔）となって接着剤ＡＤが塗布されていく。このとき、吐出口には相当の内圧（封入された接着剤ＡＤがフィルムパックＦＰ表面を内側から押す力）が作用しており、内圧によって吐出口は拡大しようとする。この吐出口の拡大を抑制し、吐出孔１２０の大きさを保持しようとするのが本体シート１１０であり、換言すれば、吐出孔１２０以外からの接着剤ＡＤの漏出を阻止する（つまり、蓋をする）のが本体シート１１０である。そのため本体シート１１０は、想定される内圧に抵抗できる程度の強度を備えたものとするのがよい。
【００２１】
一方で、手絞りの作業中はフィルムパックＦＰ表面の形状が変わりやすい（凸状の曲面になりやすい）ことから、フィルムパックＦＰ表面に貼付された状態の本体シート１１０もその変形に追随して容易に変形できるものとするのがよい。すなわち本体シート１１０は、手絞りの際の内圧に抵抗し得る程度の強度を備え、かつフィルムパックＦＰ表面に追随して変形する性状のものとするのが望ましく、例えば材質としてはポリプロピレン （ＰＰ：Ｐｏｌｙｐｒｏｐｙｌｅｎｅ）やポリエチレン（ＰＥ：Ｐｏｌｙｅｔｈｙｌｅｎｅ）等を例示することができる。もちろん本体シート１１０は、ＰＰやＰＥに限らず他の材質製とすることもできるし、平面寸法や厚さ寸法も材質との組み合わせに応じて適宜設計することができる。さらに本体シート１１０の平面形状も、図２や図３に示すような円形とすることもできるし、図４に示すような矩形とすることもできるし、他の形状を選択することもできる。
【００２２】
（吐出孔）
吐出孔１２０は、図２〜図４に示すように、本体シート１１０の中央部に設けられる小孔であり、本体シート１１０を貫通する開口部である。フィルムパックＦＰにフィルムパック用貼付式ノズル１００を貼付しても、この吐出孔１２０部分にはフィルムパックＦＰ表面が露出しているためカッター等で切除することができ、これにより吐出孔１２０が吐出口の機能を果たすわけである。なお図２〜図４に示す例では、吐出孔１２０の形状を円形（径φ１０ｍｍ）としているが、もちろん円形のほか矩形など他の形状とすることもできるし、その寸法も手絞り作業の条件等に応じて適宜設計することができる。
【００２３】
（スリット）
スリット１３０は、図３や図４に示すように、本体シート１１０に設けられる溝状のものである。より詳しくは、本体シート１１０の内周（つまり、吐出孔１２０の外周）側から本体シート１１０の外周側に向けて（ただし、外周まで貫通しない）切り込まれた小溝がスリット１３０であり、１つの本体シート１１０に対して複数のスリット１３０が設けられる。吐出孔１２０部分のフィルムパックＦＰ表面をカッター等で切除する際、明示的に切り込まれたこのスリット１３０が、その切除位置を案内する機能を果たすわけである。
【００２４】
１つの本体シート１１０に対して複数のスリット１３０が設けられると説明したが、スリット１３０の設置数を偶数とし、２つのスリット１３０がそれぞれ対向するように配置するとよい。なお、対向配置となる２つのスリット１３０の組み合わせのことを、ここでは便宜上、「スリットペア」ということとする。
【００２５】
図５は、図３に示すフィルムパック用貼付式ノズル１００について、スリットペアを破線枠で示した平面図である。この図では、第１のスリット１３０ａと第３のスリット１３０ｃによって第１のスリットペア１３１が構成され、第２のスリット１３０ｂと第４のスリット１３０ｄによって第２のスリットペア１３２が構成されている。そして、第１のスリットペア１３１を構成する第１のスリット１３０ａと第３のスリット１３０ｃが吐出孔１２０の中心（中心点１２０ｐ）に対して略点対称となるように配置され、第２のスリットペア１３２を構成する第２のスリット１３０ｂと第４のスリット１３０ｄが中心点１２０ｐに対して略点対称となるように配置されている。このように、スリットペアを構成する２つのスリット１３０を中心点１２０ｐに対して略点対称（点対称含む）となるように配置することで、吐出孔１２０部分における切除位置をより明示的に案内することができるわけである。なお図３〜図５では、４つのスリット１３０をいわゆる十字状に配置した例を示しているが、これに限らず任意の偶数のスリット１３０を中心点１２０ｐに対して略点対称（点対称含む）となるように配置することができる。
【００２６】
（補助シート）
図６は、吐出孔１２０部分に補助シート１４０が設置されたフィルムパック用貼付式ノズル１００を示す平面図である。この図に示すように補助シート１４０は、吐出孔１２０部分を覆うように配置され、本体シート１１０に取り付けられる。そして補助シート１４０には、補助線が表示されている。この補助線は、吐出孔１２０部分におけるフィルムパックＦＰ表面の切除位置を明示するものであって、スリット１３０の軸線を補助シート１４０側に延長した線上にある線分である。したがって補助シート１４０を設置する場合（つまり、補助線を示す場合）、スリットペアを構成する２つのスリット１３０が中心点１２０ｐに対して略点対称（点対称含む）となるように配置するとよい。例えば図６では、第１のスリット１３０ａと第３のスリット１３０ｃ（第１のスリットペア１３１）を結ぶように第１の補助線１４１を記すことができ、第２のスリット１３０ｂと第４のスリット１３０ｄ（第２のスリットペア１３２）を結ぶように第２の補助線１４２が記すことができるわけである。
【００２７】
補助線は、吐出孔１２０部分におけるフィルムパックＦＰ表面の切除位置を明示するものであるから、当然ながら補助線が記された補助シート１４０はカッター等で切除される。また、手絞りによってフィルムパックＦＰの接着剤ＡＤを塗布する際、補助シート１４０に覆われた吐出孔１２０が突出口となる必要がある。したがって補助シート１４０は、容易に切断でき、手絞り時の内圧によって容易に破れる（あるいは捲り上る）性状のものがよく、少なくとも本体シート１１０よりも薄膜であって低強度の材質製とするとよい。
【００２８】
（貼付材）
既述したとおり本体シート１１０の裏面はフィルムパックＦＰへの貼付面を確保するものであり、つまり本体シート１１０の裏面とフィルムパックＦＰの表面が接触した状態でフィルムパック用貼付式ノズル１００は貼付される。フィルムパック用貼付式ノズル１００をフィルムパックＦＰに貼付するに当たっては、本体シート１１０の裏面（あるいは該当するフィルムパックＦＰの表面領域）に接着剤等を塗布したうえで貼付することもできるし、あらかじめ本体シート１１０の裏面に設けられた貼付材を利用して貼付することもできる。この貼付材としては、両面テープや、粘着剤と剥離紙の組み合わせなど、従来から用いられている種々の技術を採用することができる。特に、貼付してすぐに作業ができることから、あらかじめ本体シート１１０の裏面に貼付材を設けておくとよい。
【００２９】
２．内容物塗布方法
次に本願発明の内容物塗布方法について図を参照しながら説明する。なお、本願発明の内容物塗布方法は、ここまで説明したフィルムパック用貼付式ノズル１００を使用して行う方法であり、したがってフィルムパック用貼付式ノズル１００で説明した内容と重複する説明はここでは避け、本願発明の内容物塗布方法に特有の内容のみ説明することとする。すなわち、ここに記載されていない内容は、フィルムパック用貼付式ノズル１００で説明したものと同様である。
【００３０】
図７は、本願発明の内容物塗布方法の主な工程の流れを示すフロー図である。この図に示すように本願発明の内容物塗布方法を実施するに当たっては、まずフィルムパック用貼付式ノズル１００をフィルムパックＦＰ表面の所定位置に貼付する（Ｓｔｅｐ１０）。このとき、フィルムパックＦＰ表面のうち貼付する概略の位置をマーキングし、さらに当該位置の油分やほこりなど不要物を除去するための清掃を行うとよい。なお、フィルムパック用貼付式ノズル１００の貼付は、本体シート１１０の裏面（あるいは該当するフィルムパックＦＰの表面領域）に塗布した接着剤等を利用することもできるし、あらかじめ本体シート１１０の裏面に設けられた貼付材を利用することもできるのは既述したとおりである。
【００３１】
フィルムパック用貼付式ノズル１００を貼付すると、吐出孔１２０部分にあるフィルムパックＦＰ表面をカッター等の刃物で切除する（Ｓｔｅｐ２０）。このとき、図８に示すようにカットラインＣＬを設定したうえで切除するとよい。なお、スリット１３０がない場合は目測によって適宜カットラインＣＬを記すことができ、一方、スリット１３０が設けられている場合は図８に示すようにスリット１３０の軸線を吐出孔１２０内に延長した線上にカットラインＣＬを記すとよい。またカットラインＣＬは、実際にフィルムパックＦＰ表面に筆記具等で記すことで設定してもよいし、実際には記すことなく目測で設定してもよい。もちろん、補助シート１４０が設置されたフィルムパック用貼付式ノズル１００を用いる場合は、補助シート１４０の補助線をカットラインＣＬとして利用することができる。
【００３２】
フィルムパックＦＰ表面をカッター等の刃物で切除する際、吐出孔１２０部分のみを切除することもできるし、本体シート１１０のスリット１３０内から切除していくこともできる。例えば切除用の刃物としてカッターナイフを使用する場合、スリット１３０内から切除していくことでカッターナイフの切除方向が案内され、より円滑に切除することができて好適となる。吐出孔１２０のカットラインＣＬ部分、あるいはスリット１３０内と吐出孔１２０のカットラインＣＬ部分を切除すると、図９に示すように切断線２００が形成される。
【００３３】
フィルムパックＦＰ表面の所定部分を切除して切断線２００が形成されると、図１に示すように手絞りによってフィルムパックＦＰ内の接着剤ＡＤを塗布していく（Ｓｔｅｐ３０）。このとき、手絞りによる内圧が作用することによって、切断線２００を起点としてフィルムパックＦＰ表面が破れていき（あるいは捲り上っていき）、そして吐出孔１２０が突出口となって封入された接着剤ＡＤが塗布されていく。
【産業上の利用可能性】
【００３４】
本願発明のフィルムパック用貼付式ノズル、及び内容物塗布方法は、接着剤やシーリング材など流動性を有する様々な内容物を塗布する場合に効果的に利用することができる。また内容物を接着剤とする場合、マンションなどの集合住宅や戸建住宅といった居住用建築物や、オフィスビルあるいは店舗といった商用建築物で利用できるほか、校舎や倉庫など様々な建築物で利用することができる。
【符号の説明】
【００３５】
１００    フィルムパック用貼付式ノズル
１１０    本体シート
１２０    吐出孔
１２０ｐ  中心点
１３０    スリット
１３０ａ  第１のスリット
１３０ｂ  第２のスリット
１３０ｃ  第３のスリット
１３０ｄ  第４のスリット
１３１    第１のスリットペア
１３２    第２のスリットペア
１４０    補助シート
１４１    第１の補助線
１４２    第２の補助線
２００    切断線
ＦＰ      フィルムパック
ＡＤ      接着剤
ＣＬ      カットライン
【図１】
2019063747.tif 000003
【図２】
2019063747.tif 000004
【図３】
2019063747.tif 000005
【図４】
2019063747.tif 000006
【図５】
2019063747.tif 000007
【図６】
2019063747.tif 000008
【図７】
2019063747.tif 000009
【図８】
2019063747.tif 000010
【図９】
2019063747.tif 000011
【図１０】
2019063747.tif 000012